(57)【特許請求の範囲】
【請求項１】
デジタル画像データのプリント注文を受け付け、前記プリント注文に対応するプリント注文情報を作成する、受付部と、
前記プリント注文情報を管理する管理部と、
前記プリント注文情報を記録保存する記録部と、
前記記録部において記録保存した前記プリント注文情報を呼び出す呼出部と、
顧客が所有する外部記録媒体としてのメディアに前記プリント注文情報を書き込み、また、前記メディアから前記プリント注文情報を読み出すメディア書き込み／読み出し部とを備え、
前記管理部は、前記受付部において前記プリント注文が中断された場合には、前記記録部において、中断された当該プリント注文に対応する前記プリント注文情報を記録保存させ、
前記管理部は、前記受付部において中断された前記プリント注文が再開される場合には、前記呼出部において、当該プリント注文に対応する前記プリント注文情報を呼び出させ、
前記プリント注文情報は、プリントする対象である画像データ、プリントする内容を示す注文内容データを含み、
前記記録部は、前記メディア書き込み／読み出し部を通じて、前記メディアに前記プリント注文情報を記録保存する、
プリント注文管理装置。
【請求項２】
前記受付部は、ネットワーク上で前記プリント注文を受け付ける、
請求項１に記載のプリント注文管理装置。
【請求項３】
前記管理部は、中断する前記プリント注文に対応する識別コードを設定し、
前記管理部は、中断した前記プリント注文を再開する場合には、前記受付部において前記識別コードを要求し、入力された識別コードと予め設定した前記識別コードとを比較し、
前記管理部は、前記識別コードの比較結果に応じて、前記呼出部において、中断した前記プリント注文に対応する前記プリント注文情報を呼び出させる、
請求項１又は２に記載のプリント注文管理装置。
【請求項４】
前記識別コードを印刷する第１印刷部をさらに備える、
請求項３に記載のプリント注文管理装置。
【請求項５】
前記識別コードを通知する通知部をさらに備える、
請求項３又は４に記載のプリント注文管理装置。
【請求項６】
前記記録部における前記プリント注文情報を削除する、削除部をさらに備える、
請求項１から請求項５のうちのいずれか１項に記載のプリント注文管理装置。
【請求項７】
請求項１から請求項６のうちのいずれか１項に記載のプリント注文管理装置と、
前記プリント注文情報に対応する画像データに基づいて、印刷物を印刷する第２印刷部と、
印刷した前記印刷物の受け渡しを行う、印刷物受渡部とを備える、
プリント自動販売装置。
【発明の詳細な説明】
【技術分野】
【０００１】
本発明はプリント注文管理装置およびプリント自動販売装置に関し、特に、無人で写真などのプリントを販売するプリント自動販売装置およびプリント注文を管理するプリント注文管理装置に関する。
【背景技術】
【０００２】
近年のデジタルカメラの急速な普及により、写真店舗などでデジタル画像データを写真として出力し、販売するサービスが提供されている。特許文献１においては、無人で画像データを印刷し、写真を提供するプリント自動販売装置が提案されている。
【０００３】
しかしながら、写真店舗の営業時間などに制限され、顧客は自由な時間に写真を注文することができず、また、店舗スタッフ等の人の手を介することで、撮影した画像を他人に閲覧される等、プライバシーの保護には十分な配慮がされていなかった。
【０００４】
これらの改善策として、特許文献２においては、インターネットを利用した写真注文システムが提案され、注文を依頼した顧客にのみ仕上り写真プリントを渡すことで、時間的制約を排除し、プライバシーの保護を実現している。
【先行技術文献】
【特許文献】
【０００５】
【特許文献１】特開２００２−３２９２５０号公報（第１頁）
【特許文献２】特開２００３−２１６５３３号公報（第１頁）
【発明の概要】
【発明が解決しようとする課題】
【０００６】
しかしながら、最近の写真注文においては、フォトブック注文やカレンダー注文などの付加価値の高いサービスの追加や、画像のトリミング、色調整、落書きなどの画像編集機能の高機能化に伴い、一回の注文にかかる時間が大幅に増大している。
【０００７】
インターネット等により、自宅等から、自由な時間にプリント注文することが可能なシステムも提案されているが、ネットワーク経由での画像データのアップロードには非常に長い時間を要し、注文枚数が多くなるほど注文にかかる時間が増大している。
【０００８】
このため、何らかの事情で注文を最後まで完了できずに終了する場合、それまでの注文情報を全て破棄せざるを得ない、あるいは、プリント注文のためにある程度まとまった時間を確保できない場合には、注文を開始できない、すなわち、受注する機会を逸する状況が発生するという問題があった。
【０００９】
本発明は、上記のような問題を解決するためになされたものであり、注文を最後まで完了するために必要な時間を十分に確保できない場合においても、手軽に注文を開始することが可能となり、これまで機会を逸していた注文を受け付けることを可能にするプリント注文管理装置およびプリント自動販売装置の提供を目的とする。
【課題を解決するための手段】
【００１０】
本発明にかかるプリント注文管理装置は、デジタル画像データのプリント注文を受け付け、前記プリント注文に対応するプリント注文情報を作成する、受付部と、前記プリント注文情報を管理する管理部と、前記プリント注文情報を記録保存する記録部と、前記記録部において記録保存した前記プリント注文情報を呼び出す呼出部と、顧客が所有する外部記録媒体としてのメディアに前記プリント注文情報を書き込み、また、前記メディアから前記プリント注文情報を読み出すメディア書き込み／読み出し部とを備え、前記管理部は、前記受付部において前記プリント注文が中断された場合には、前記記録部において、中断された当該プリント注文に対応する前記プリント注文情報を記録保存させ、前記管理部は、前記受付部において中断された前記プリント注文が再開される場合には、前記呼出部において、当該プリント注文に対応する前記プリント注文情報を呼び出させ、前記プリント注文情報は、プリントする対象である画像データ、プリントする内容を示す注文内容データを含み、前記記録部は、前記メディア書き込み／読み出し部を通じて、前記メディアに前記プリント注文情報を記録保存する。
【００１１】
また、本発明にかかるプリント自動販売装置は、上記のプリント注文管理装置と、前記プリント注文情報に対応する画像データに基づいて、印刷物を印刷する第２印刷部と、印刷した前記印刷物の受け渡しを行う、印刷物受渡部とを備える。
【発明の効果】
【００１２】
本発明にかかるプリント注文管理装置によれば、デジタル画像データのプリント注文を受け付け、前記プリント注文に対応するプリント注文情報を作成する、受付部と、前記プリント注文情報を管理する管理部と、前記プリント注文情報を記録保存する記録部と、前記記録部において記録保存した前記プリント注文情報を呼び出す呼出部と、顧客が所有する外部記録媒体としてのメディアに前記プリント注文情報を書き込み、また、前記メディアから前記プリント注文情報を読み出すメディア書き込み／読み出し部とを備え、前記管理部は、前記受付部において前記プリント注文が中断された場合には、前記記録部において、中断された当該プリント注文に対応する前記プリント注文情報を記録保存させ、前記管理部は、前記受付部において中断された前記プリント注文が再開される場合には、前記呼出部において、当該プリント注文に対応する前記プリント注文情報を呼び出させ、前記プリント注文情報は、プリントする対象である画像データ、プリントする内容を示す注文内容データを含み、前記記録部は、前記メディア書き込み／読み出し部を通じて、前記メディアに前記プリント注文情報を記録保存することにより、プリント注文を完了するために必要な時間を確保できない場合においても、手軽にプリント注文を行うことが可能となり、プリント注文の機会を逸することを抑制することができる。
【００１３】
また、本発明にかかるプリント自動販売装置によれば、上記のプリント注文管理装置と、前記プリント注文情報に対応する画像データに基づいて、印刷物を印刷する第２印刷部と、前記印刷物の受け渡しを行う、印刷物受渡部とを備えることにより、プリント注文の機会を逸することを抑制し、印刷した印刷物を提供することが可能となる。
【図面の簡単な説明】
【００１４】
【図１】本発明の実施の形態１にかかる、プリント自動販売装置の構成図である。
【図２】本発明の実施の形態１にかかる、記録動作のフローチャートである。
【図３】本発明の実施の形態１にかかる、呼出動作のフローチャートである。
【図４】本発明の実施の形態２にかかる、プリント自動販売装置の構成図である。
【図５】本発明の実施の形態３にかかる、プリント自動販売装置の構成図である。
【図６】本発明の実施の形態４にかかる、プリント自動販売装置の構成図である。
【図７】本発明の実施の形態５にかかる、プリント自動販売装置の構成図である。
【図８】本発明の実施の形態６にかかる、プリント自動販売装置の構成図である。
【図９】本発明の実施の形態７にかかる、プリント自動販売装置の構成図である。
【図１０】本発明の実施の形態１にかかる、プリント注文情報の構成図である。
【発明を実施するための形態】
【００１５】
本発明は、プリント注文に必要な時間を十分に確保できない場合においても、顧客が注文を開始することを可能とするために、プリント注文に対応するプリント注文情報を一時的に記録保存し、その情報を再度呼出しすることを可能とする装置を実現したものである。
【００１６】
＜Ａ．実施の形態１＞
＜Ａ−１．構成＞
図１は、本実施の形態１に係るプリント注文管理装置１００１、プリント自動販売装置１００の構成図である。また、図２、図３は、本実施の形態１に係る一時注文情報の記録動作、及び、一時注文情報の呼出動作を示したフローチャートである。
【００１７】
図１において、プリント自動販売装置１００は、プリント注文を受け付け、プリント注文に対応するプリント注文情報を作成するプリント注文受付部１と、プリント注文情報を管理するプリント注文管理部２と、プリント注文情報を一時注文情報として記録保存する一時注文情報記録部３と、プリント注文管理部２の指示により、一時注文情報を呼び出す一時注文情報呼出部４と、プリントを実行する第２印刷部としてのプリンター５と、印刷物を顧客に受け渡す印刷物受渡部６とを備える。
【００１８】
このうち、プリント注文受付部１、プリント注文管理部２、一時注文情報記録部３、一時注文情報呼出部４によって、プリント注文管理装置１００１が形成される。
【００１９】
プリント注文受付部１は、デジタル画像データが記録保存されたメディア等から入力される、デジタル画像データのプリント注文を受け付け、プリント注文に対応するプリント注文情報を作成する。
【００２０】
プリント注文管理部２は、プリント注文受付部１より送信されたプリント注文情報を管理する。
【００２１】
一時注文情報記録部３は、プリント注文管理部２の指示により、プリント注文情報を一時注文情報として、一時的に記録保存する。
【００２２】
一時注文情報呼出部４は、プリント注文管理部２の指示により、一時注文情報記録部３に記録保存されている一時注文情報を呼び出す。
【００２３】
プリンター５は、プリント注文管理部２の指示により、プリントを実行する。
【００２４】
印刷物受渡部６は、プリンター５でプリントした印刷物を、顧客に受け渡す。
【００２５】
＜Ａ−２．動作＞
次に、プリント自動販売装置１００の動作、特にプリント注文管理装置１００１を主要部とする動作について、図２、図３を用いて説明する。
【００２６】
＜Ａ−２−１．記録動作＞
図２は、プリント注文管理装置１００１の記録動作を示したフローチャートである。プリント注文受付部１は、例えば、タッチパネルモニター付パソコンにメモリーカードリーダー等を接続した装置で構成され、顧客はメモリーカード等に記録保存されたデジカメ等の画像データを、プリント注文受付部１に入力する。具体的には、メモリーカードリーダーにメモリーカード等を挿入する。
【００２７】
プリント注文受付部１では、挿入されたメモリーカード内に記録保存された画像データを読み込み、モニター等に、その画像データに対応する画像を表示することができる。
【００２８】
顧客は、モニター等に表示された当該画像を確認し、タッチパネル等の入力操作などにより印刷する画像を選択し、印刷枚数などを設定の上、プリント注文を実行する（ステップＳ１）。そして、プリント注文受付部１において、当該プリント注文に対応した、画像の印刷枚数等の情報であるプリント注文情報が作成される。
【００２９】
プリント注文が実行された画像データおよび対応するプリント注文情報は、プリント注文管理部２に送信される。ここでプリント注文情報には、図１０に示すように、例えば、受付時間、ファイル名、印刷枚数、トリミングや色調整等の編集情報、顧客情報等が含まれ、プリントする内容を示す注文内容データが含まれている。
【００３０】
顧客がプリント注文をしている途中で、何らかの事情によりそのプリント注文を中断したい状況が発生した場合（ステップＳ２）、顧客の要望により、任意のタイミングでプリント注文の中断命令が実行される。中断命令は、プリント注文受付部１に備えられた、例えば押しボタンや表示画面上のＧＵＩによるボタンタッチ等の手段を介して実行されることが可能であり、その形態は特に問わない。
【００３１】
実行されたプリント注文の中断命令は、プリント注文管理部２で受け付けられ、中断処理が実行される。プリント注文管理部２は、一時注文情報記録部３に現在の、すなわち編集途中のプリント注文情報の記録保存を指示する。一時注文情報記録部３は、編集されたプリント注文情報を、予め決められた形式によりＨＤＤ等の記憶媒体に記録保存する。ここで一時注文情報記録部３は、一時注文情報記録部３自体に記録保存できるものであってもよい。この編集途中のプリント注文情報は、一時注文情報７として記録保存される（ステップＳ６）。
【００３２】
ここで、プリント注文管理部２において、一時注文情報記録部３で記録保存された一時注文情報７に固有の識別番号を付加することができる（ステップＳ７）。ここで、識別番号の代わりに、プリント注文を互いに識別可能であれば、番号以外の様々な記号等を採用した識別コードを使用することができる。例えば、番号や記号等よりなる識別コードも使用できる。これは後述の実施の形態においても同様である。識別番号は、中断するプリント注文にそれぞれ対応して設定される。
【００３３】
この時、パスワードなどの開錠キーを同時に設定することで、特定の顧客以外への一時注文情報７の開示をさらに制限することが可能となる。パスワード等の開錠キーは、プリント注文管理部２で設定してもよいし、顧客の入力により設定してもよい。
【００３４】
また、一時注文情報７に画像データを直接含むこと、すなわち、プリント注文情報内に、印刷枚数等の情報だけでなく画像データも含むことが可能である。プリント注文情報内に画像データも含めれば、中断したプリント注文の画像データを再度入力しなくとも済む。一方、画像データに対応する、例えばファイル名、そのパス等のみを記録保存対象とすれば、記録データの小容量化が実現できる。
【００３５】
プリント注文管理部２は、採番した一時注文情報７固有の識別番号と、パスワード等の開錠キーとを、プリント注文受付部１の表示画面等を通じて顧客に通知することができる（ステップＳ８）。なお、この通知動作はなくともよい。
【００３６】
一方、プリント注文を中断したい状況が発生しない場合（ステップＳ２）は、プリント注文を継続し（ステップＳ３）、他のプリント注文が全て実行された場合（ステップＳ４）には、記録動作を終了する（ステップＳ５）。他のプリント注文で未だ実行されていないものがある場合（ステップＳ４）は、繰り返しプリント注文動作を継続する。
【００３７】
＜Ａ−２−２．呼出動作＞
図３は、プリント自動販売装置１００（特にプリント注文管理装置１００１）の呼出動作を示したフローチャートである。
【００３８】
顧客が、中断したプリント注文を途中から再開して注文する場合には、プリント注文の再開命令を実行する（ステップＳ１１）。
【００３９】
ここで、プリント注文情報に画像データが含まれない場合には、中断時に使用していたメモリーカード等を挿入することによって、プリント注文受付部１から画像データを入力する。一方、一時注文情報７に画像データが直接含まれる場合は、中断時に使用していたメモリーカード等を不要とすることができる。
【００４０】
再開命令は、プリント注文受付部１に備えられた、例えば押しボタンや表示画面上のＧＵＩによるボタンタッチ等の手段を介して実行されることが可能であり、その形態は問わない。
【００４１】
プリント注文の再開命令は、プリント注文管理部２に入力され、再開処理が実行される。一時注文情報７を呼び出す必要がある場合（ステップＳ１２）、プリント注文管理部２は顧客に対し、一時注文情報７固有の識別番号、対応する開錠キー（パスワード等）の入力を要求する（ステップＳ１６）。但し、識別番号、開錠キーが設定されていない場合には、当該動作、および以下の動作のうち、識別番号、開錠キーに関する動作はスキップされる。
【００４２】
次にプリント注文管理部２は、顧客により識別番号、開錠キーが入力された場合、その一時注文情報７の識別番号、開錠キーそれぞれが、予め設定された識別番号、開錠キーと一致するか否かを比較する（ステップＳ１７、１８）。
【００４３】
一致しない場合（ステップＳ１９）には、一時注文情報７を呼び出さずに処理を終了する。一部一致する場合、例えば、複数設定された識別番号のいずれかが一致するような場合には、一致する内容に応じて一時注文情報７の一部を呼び出す（ステップＳ２０）。全て一致する場合には、対応する全ての一時注文情報７全てを呼び出す（ステップＳ２１）。当該呼出動作は、プリント注文管理部２が、一時注文情報呼出部４に指示することで行われる。
【００４４】
一時注文情報呼出部４によって、一時注文情報記録部３から呼び出された一時注文情報７は、再開されたプリント注文に反映され、顧客は、さらにプリント注文を継続できる（ステップＳ１３）。他のプリント注文が全て実行された場合（ステップＳ１４）には、呼出動作を終了する（ステップＳ１５）。
【００４５】
ここで、一時注文情報７に画像データが含まれている場合には、識別番号、開錠キーの一致不一致のみによって判断すればよいが、一時注文情報７に画像データが含まれていない場合には、さらに次の動作を付加することができる。
【００４６】
すなわち、プリント注文管理部２は、一時注文情報呼出部４により呼び出された一時注文情報７について、その中に記録保存された、ファイル名、そのパス等を参照し、それらに対応する画像データが、顧客が挿入した例えばメモリーカード内に含まれるか否かの判定を行う。判定の結果、対応する画像データが含まれる場合には、その対応する画像データをプリント注文に反映させることができる。
【００４７】
プリント注文が完了すると、プリンター５を用いてプリントを実行し、プリントした印刷物を、印刷物受渡部６から顧客に受け渡す。
【００４８】
なお実施の形態１では、プリント自動販売装置１００全体について説明しているが、プリント自動販売装置１００のうち、プリンター５、印刷物受渡部６を内蔵しないプリント注文管理装置１００１を用いることで、中断したプリント注文を再び継続することができる。具体的には、プリント注文管理装置１００１に対応する写真注文受付端末、顧客の自宅ＰＣ等を用いてプリント注文の管理を行い、印刷物を印刷等する動作（プリンター５、印刷物受渡部６が行う動作に対応する動作）については、別の装置で行ってもよい。
【００４９】
以上のように、顧客が注文を中断したい状況が発生した場合には、現在のプリント注文情報を一時注文情報として一時的に記録保存することにより、中断によるプリント注文のキャンセルを防ぎ、また、プリント注文を最後まで完了するために必要な時間を十分確保できない場合でもプリント注文を開始することが出来るため、プリント注文の受注機会を逃すことなくプリント注文を受付けることが可能となる。
【００５０】
＜Ａ−３．効果＞
本発明にかかる実施の形態１によれば、プリント注文管理装置において、プリント注文に対応するプリント注文情報を作成する、プリント注文受付部１と、プリント注文情報を管理するプリント注文管理部２と、プリント注文情報を記録保存する一時注文情報記録部３と、プリント注文情報を呼び出す一時注文情報呼出部４とを備え、プリント注文管理部２は、プリント注文が中断された場合には、中断された当該プリント注文に対応するプリント注文情報を記録保存させ、中断されたプリント注文が再開される場合には、当該プリント注文に対応するプリント注文情報を呼び出させることで、プリント注文を完了するために必要な時間を確保できない場合においても、手軽にプリント注文を行うことが可能となり、プリント注文の機会を逸することを抑制することができる。
【００５１】
また、本発明にかかる実施の形態１によれば、プリント注文管理装置において、プリント注文情報は、プリントする対象である画像データ、プリントする内容を示す注文内容データを含むことで、中断したプリント注文の画像データを再度入力しなくとも、対応するプリント注文情報を呼び出せばプリント注文を再開することができる。また、画像データを含まずに注文内容データのみを含む場合には、記録データの小容量化が実現できる。
【００５２】
また、本発明にかかる実施の形態１によれば、プリント注文管理装置において、プリント注文管理部２は、中断するプリント注文に対応する識別コード（識別番号）を設定し、プリント注文管理部２は、中断したプリント注文を再開する場合には、プリント注文受付部１において識別コードを要求し、入力された識別コードと予め設定した識別コードとを比較する。識別コードの比較結果に応じて、プリント注文呼出部４において、中断したプリント注文に対応するプリント注文情報を呼び出させる。このように構成することで、特定の顧客以外への一時注文情報７の開示を制限することが可能となる。
【００５３】
また、本発明にかかる実施の形態１によれば、プリント自動販売装置において、上記のプリント注文管理装置と、プリント注文情報に対応する画像データに基づいて、印刷物を印刷する第２印刷部としてのプリンター５と、印刷した印刷物の受け渡しを行う、印刷物受渡部６とを備えることで、プリント注文の機会を逸することを抑制し、印刷した印刷物を提供することが可能となる。
【００５４】
＜Ｂ．実施の形態２＞
＜Ｂ−１．構成＞
図４は、本実施の形態２に係るプリント自動販売装置１０１の構成図である。
【００５５】
図４において、プリント自動販売装置１０１は、プリント注文受付部１０００を備えている。プリント注文受付部１０００はさらに、メディア書き込み／読み出し部８を備えており、メディア書き込み／読み出し部８は、顧客が画像データを記録保存している、外部記録媒体としてのメディア９に一時注文情報７を書き込み、また、そのメディア９から一時注文情報７を読み出す機能を備えている。その他の構成については、実施の形態１と同様であるので、詳細な説明を省略する。
【００５６】
なお、プリント注文受付部１０００、プリント注文管理部２、一時注文情報記録部３、一時注文情報呼出部４によって、プリント注文管理装置１００２が形成される。
【００５７】
＜Ｂ−２．動作＞
顧客の要望によりプリント注文が中断された場合、プリント注文管理部２の指示により、一時注文情報記録部３が一時注文情報７の記録保存を実行する。
【００５８】
この時、一時注文情報記録部３は、メディア書き込み／読み出し部８を通じて、メディア９に一時注文情報７を記録保存する。メディア９には、画像データ等が記録保存されている。
【００５９】
例えば、メディア書き込み／読み出し部８としてメモリーカードリーダー等を用い、顧客のメディア９としてのメモリーカード等に一時注文情報７を記録保存することができる。
【００６０】
このように記録保存することで、顧客は一時注文情報７が記録保存されたメディア９（メモリーカード等）を再び使用することで、同様の機能を持つ別の端末でもプリント注文を再開することが可能となる。
【００６１】
＜Ｂ−３．効果＞
本発明にかかる実施の形態２によれば、プリント注文管理装置において、一時注文情報記録部３は、外部記録媒体としてのメディア９にプリント注文情報を記録保存することで、顧客は、一時注文情報７が記録保存されたメディア９（メモリーカード等）を再び使用することで、同様の機能を持つ別の端末でもプリント注文を再開することが可能となる。
【００６２】
＜Ｃ．実施の形態３＞
＜Ｃ−１．構成＞
図５は、本実施の形態３に係るプリント自動販売装置１０２の構成図である。
【００６３】
図５において、ネットワーク上に存在するサーバー等の記録装置１０が、プリント自動販売装置１０２と通信回線等を介して接続されている。
【００６４】
このうち、プリント注文受付部１、プリント注文管理部２、一時注文情報記録部３、一時注文情報呼出部４によって、プリント注文管理装置１００３が形成される。その他の構成については、実施の形態１と同様であるので、詳細な説明を省略する。
【００６５】
＜Ｃ−２．動作＞
顧客の要望によりプリント注文が中断された場合、プリント注文管理部２の指示により、一時注文情報記録部３が一時注文情報７の記録保存を実行する。
【００６６】
この時、インターネット等のネットワークを通じて、ネットワーク上のサーバー等である記録装置１０に、一時注文情報７を記録保存する。
【００６７】
一時注文情報７をネットワーク上の記録装置１０に記録保存することにより、顧客の所有物に情報の書き込みを行うことなく、同様の機能を持つ別の端末でもプリント注文を再開することが可能となる。
【００６８】
＜Ｃ−３．効果＞
本発明にかかる実施の形態３によれば、プリント注文管理装置において、一時注文情報記録部３は、ネットワーク上の記録装置１０にプリント注文情報を記録保存することで、顧客の所有物に情報の書き込みを行うことなく、同様の機能を持つ別の端末でもプリント注文を再開することが可能となる。
【００６９】
＜Ｄ．実施の形態４＞
＜Ｄ−１．構成＞
図６は、本実施の形態４に係るプリント自動販売装置１０３の構成図である。
【００７０】
図６おいて、顧客の自宅のパソコンなどネットワーク上に存在する情報処理端末１１が、プリント自動販売装置１０３と通信回線等を介して接続されている。その他の構成については、実施の形態３と同様であるので、詳細な説明を省略する。
【００７１】
なお、記録装置１０を用いずに、例えばプリント注文管理装置１００３において一時注文情報７を記録保存する構成（すなわち、実施の形態１と同様の構成）であってもよい。
【００７２】
ここで、プリント注文受付部１は、情報処理端末１１とは別構成とされているが、プリント注文受付部１の代わりに、情報処理端末１１を備えるものであってもよい。すなわち、プリント注文受付部１をプリント注文管理装置１００３に備える代わりに、情報処理端末１１をプリント注文管理装置１００３に、ネットワークを介して備えることで、プリント注文受付部１を備えた場合と同様の機能を果たすことも可能である。
【００７３】
＜Ｄ−２．動作＞
顧客の要望によりプリント注文が中断された場合、プリント注文管理部２の指示により一時注文情報記録部３が一時注文情報７の記録保存を実行する。
【００７４】
この時、インターネット等のネットワークを通じて、ネットワーク上のサーバー等である記録装置１０に一時注文情報７を記録保存することができる。
【００７５】
ここで、ネットワーク上の記録装置１０に記録保存されている一時注文情報７を利用するために、プリント注文アプリケーションを、ネットワーク上に公開、あるいは顧客に提供する。そうすると、顧客は情報処理端末１１を介して当該プリント注文アプリケーションを利用し、ネットワーク上の記録装置１０に記録保存されている一時注文情報７を読み出し、自宅等でもプリント注文を再開することが可能となる。すなわち、中断したプリント注文をネットワーク上で受け付け、再開することができる。
【００７６】
また、同様に自宅等で情報処理端末１１を用いて編集したプリント注文情報を、ネットワーク上の記録装置１０に一時的に記録保存し、プリント自動販売装置１０３でプリント注文を再開することも可能である。
【００７７】
また、実施の形態２に記載するように、顧客のメディア９に一時注文情報７を記録保存すれば、ネットワーク上に接続されていない情報処理端末１１などでも同様に、プリント注文を再開することが可能である。すなわち、プリント注文受付部１を、ネットワーク上に接続されていない情報処理端末に置き換えることができる。
【００７８】
＜Ｄ−３．効果＞
本発明にかかる実施の形態４によれば、プリント注文管理装置において、ネットワーク上でプリント注文を受け付けることで、顧客は情報処理端末１１等を用い、自宅等でもプリント注文を再開することが可能となる。
【００７９】
＜Ｅ．実施の形態５＞
＜Ｅ−１．構成＞
図７は、本実施の形態５に係るプリント自動販売装置１０４の構成図である。
【００８０】
図７において、第１印刷部としてのプリンター５０は、プリント注文により印刷することになった印刷物を印刷する機能だけでなく、一時注文情報７固有の識別番号を印刷する機能をも備えるプリンターである。その他の構成については、実施の形態１と同様であるので、詳細な説明を省略する。
【００８１】
なお、プリンター５０は、図示するようにプリンター５の代わりに設け、一時注文情報７固有の識別番号の印刷と、プリント注文の対象となる印刷物の印刷とを行ってもよいし、プリンター５とは別にプリンター５０を設け、一時注文情報７固有の識別番号の印刷を行うようにしてもよい。
【００８２】
＜Ｅ−２．動作＞
顧客の要望によりプリント注文が中断された場合、プリント注文管理部２の指示により一時注文情報記録部３が一時注文情報７の記録保存を実行する。
【００８３】
ここで、プリント注文管理部２で採番された一時注文情報７固有の識別番号は、プリント注文管理部２によりプリンター５０に送信され、プリンター５０において印刷される。一時注文情報７固有の識別番号が印刷された印刷物は、印刷物受渡部６に移動され、顧客に受け渡される。
【００８４】
このようにすることにより、顧客は一時注文情報７の識別番号を記憶、あるいは、別途記録保存することを必要とせずに、一時注文情報７の識別番号を保有し、プリント注文の再開時に利用することが可能となる。
【００８５】
なお、一時注文情報７の識別番号と同時に、パスワード等の開錠キーや、注文の進捗状況等の情報を印刷してもよい。また、本実施の形態は、前述の実施の形態全てにおいて適用可能である。
【００８６】
＜Ｅ−３．効果＞
本発明にかかる実施の形態５によれば、プリント注文管理装置において、識別コードを印刷する第１印刷部としてのプリンター５０をさらに備えることで、顧客は一時注文情報７の識別番号を記憶、あるいは、手動で記録保存せずに、一時注文情報７の識別番号を保有し、プリント注文の再開が可能となる。
【００８７】
＜Ｆ．実施の形態６＞
＜Ｆ−１．構成＞
図８は、本実施の形態６に係るプリント自動販売装置１０５の構成図である。
【００８８】
図８において、プリント自動販売装置１０５は、プリント注文管理部２と接続される、一時注文情報識別番号通知部１２をさらに備える。一時注文情報識別番号通知部１２は、ネットワーク上に接続され、顧客がネットワークを介して利用可能となっている。実施の形態１においては、プリント注文管理部２が一時注文情報の通知を行っていたが、本実施の形態６では、当該通知を行う構成を別途設けている。
【００８９】
このうち、プリント注文受付部１、プリント注文管理部２、一時注文情報記録部３、一時注文情報呼出部４、一時注文情報識別番号通知部１２によって、プリント注文管理装置１００４が形成される。その他の構成については、実施の形態１と同様であるので、詳細な説明を省略する。
【００９０】
＜Ｆ−２．動作＞
顧客の要望によりプリント注文が中断された場合、プリント注文管理部２の指示により一時注文情報記録部３が一時注文情報７の記録保存を実行する。
【００９１】
ここで、プリント注文管理部２で採番された一時注文情報７固有の識別番号は、プリント注文管理部２により一時注文情報識別番号通知部１２に送信される。一時注文情報識別番号通知部１２は、例えば、電子メール等を利用して、顧客に一時注文情報７固有の識別番号を通知する機能を備える。
【００９２】
このようにすることにより、顧客に対し、実際に印刷等することなく一時注文情報７固有の識別番号を通知可能となる。印刷に伴う消耗品の消費を抑制することができる。
【００９３】
なお本実施の形態は、前述の実施の形態全てにおいて適用可能である。
【００９４】
＜Ｆ−３．効果＞
本発明にかかる実施の形態６によれば、プリント注文管理装置において、識別コードを通知する一時注文情報識別番号通知部１２をさらに備えることで、印刷などで消耗品を消費することなく、顧客に一時注文情報７固有の識別番号を通知可能となる。
【００９５】
＜Ｇ．実施の形態７＞
＜Ｇ−１．構成＞
図９は、本実施の形態７に係るプリント自動販売装置１０６の構成図である。
【００９６】
図９において、プリント自動販売装置１０６は、一時注文情報削除部１３をさらに備える。
【００９７】
このうち、プリント注文受付部１、プリント注文管理部２、一時注文情報記録部３、一時注文情報呼出部４、一時注文情報削除部１３によって、プリント注文管理装置１００５が形成される。その他の構成については、実施の形態１と同様であるので、詳細な説明を省略する。
【００９８】
＜Ｇ−２．動作＞
顧客の要望によりプリント注文が中断された場合、プリント注文管理部２の指示により一時注文情報記録部３が一時注文情報７の記録保存を実行する。
【００９９】
ここで、一時注文情報記録部３で記録保存された一時注文情報７は、一時注文情報削除部１３により監視される。
【０１００】
一時注文情報削除部１３は、予め設定された一定期間が経過すると、一時注文情報７を削除する。これにより、有限の記憶領域が飽和することを防ぐことが可能となる。また、本実施の形態は、前述の実施の形態全てにおいて適用可能である。
【０１０１】
＜Ｇ−３．効果＞
本発明にかかる実施の形態７によれば、プリント注文管理装置において、一時注文情報記録部３におけるプリント注文情報を削除する、一時注文情報削除部１３をさらに備えることで、有限の記憶領域が飽和することを防ぐことが可能となる。
【０１０２】
なお、上記の実施の形態は、互いの実施態様を適宜組み合わせることができるものである。
【符号の説明】
【０１０３】
１，１０００  プリント注文受付部、２  プリント注文管理部、３  一時注文情報記録部、４  一時注文情報呼出部、５，５０  プリンター、６  印刷物受渡部、７  一時注文情報、８  メディア書き込み／読み出し部、９  メディア、１０  記録装置、１１  情報処理端末、１２  一時注文情報識別番号通知部、１３  一時注文情報削除部、１００〜１０６  プリント自動販売装置、１００１〜１００５  プリント注文管理装置。
【図１】
0005679830.tif 000002
【図２】
0005679830.tif 000003
【図３】
0005679830.tif 000004
【図４】
0005679830.tif 000005
【図５】
0005679830.tif 000006
【図６】
0005679830.tif 000007
【図７】
0005679830.tif 000008
【図８】
0005679830.tif 000009
【図９】
0005679830.tif 000010
【図１０】
0005679830.tif 000011